(57)【要約】【課題】画像読取装置で、例えばブック状原稿等の厚みのある読み取り原稿に対応するためには、原稿を押えるための機構が複雑になる問題があった。【解決手段】画像読み取りユニット４７と、画像読み取り部４７と対向する位置に配置され、記録媒体を載置する第１の原稿載置台４４とを備えたフラットベッドユニット１０と、フラットベッドユニット１０によって、第１の原稿載置台４４を、塞ぐ位置と開放する位置との間で変位自在に支持されたＡＤＦユニット１１と、ＡＤＦユニット１１に着脱自在に配置された媒体押さえ部（３３，３４）と、媒体押さえ部（３３，３４）と、ＡＤＦユニット１１又はフラットベッドユニット１０とを連結する連結部５７とを備え、ＡＤＦユニット１１から外れた媒体押さえ部（３３，３４）が、ＡＤＦユニット１１又はフラットベッドユニット１０に連結された状態で移動自在に構成する。【選択図】図３
2016048887.tif 000002
【特許請求の範囲】
【請求項１】
記録媒体の画像を読み取る画像読み取りユニットと、前記画像読み取り部と対向する位置に配置され、前記記録媒体を載置する媒体載置部とを備えた画像読み取り部と、
前記画像読み取り部によって、前記媒体載置部を、塞ぐ位置と開放する位置との間で変位自在に支持された開閉部と、
前記開閉部の、前記媒体載置部に対向する側に着脱自在に配置された媒体押さえ部と、
前記媒体押さえ部と、前記開閉部又は前記画像読み取り部とを連結する連結部と
を備え、
前記開閉部から外れた前記押さえ部が、前記開閉部又は前記画像読み取り部に連結された状態で移動自在に構成されたことを特徴とする画像読取装置。
【請求項２】
前記媒体押さえ部は、面ファスナによって前記開閉部に着脱自在に配置されたことを特徴とする請求項１記載の画像読取装置。
【請求項３】
前記媒体押さえ部は、磁石によって前記開閉部に着脱自在に配置されたことを特徴とする請求項１記載の画像読取装置。
【請求項４】
前記媒体押さえ部は、前記開閉部から分離する際に有用なレバーを備えたことを特徴とする請求項１乃至３の何れかに記載の画像読取装置。
【請求項５】
前記開閉部は、前記媒体押さえ部を位置決めするガイド部材を備えたことを特徴とする請求項１乃至４の何れかに記載の画像読取装置。
【請求項６】
前記ガイド部材は、前記媒体押さえ部を前記開閉部に装着する際に、誘導する傾斜面を備えたことを特徴とする請求項５記載の画像読取装置。
【請求項７】
前記開閉部は、第１の回動中心を中心として回動自在に支持されていることを特徴とする請求項１乃至６の何れかに記載の画像読取装置。
【請求項８】
前記連結部は、互いに回動自在に連結された複数のアーム部を備え、前記連結された複数のアーム部の、一端側が前記開閉部によって回動自在に保持され且つ他端側が前記媒体押さえ部を回動自在に保持し、各回動軸が共に前記第１の回動中心の軸方向と略平行に延在することを特徴とする請求項７記載の画像読取装置。
【請求項９】
前記アーム部の数が２であることを特徴とする請求項８記載の画像読取装置。
【請求項１０】
前記アーム部は、開角が１８０°以下に制限されていることを特徴とする請求項９記載の画像読取装置。
【請求項１１】
前記連結部は、弾性の帯状部材を有することを特徴とする請求項７記載の画像読取装置。
【請求項１２】
前記連結部は、連結ワイヤーで形成されていることを特徴とする請求項７記載の画像読取装置。
【請求項１３】
前記連結部は、前記開閉部に装着された前記媒体押さえ部の、前記第１の回動中心に近い側の縁部と、該縁部より更に前記第１の回動中心に近い、前記開閉部又は前記画像読み取り部の箇所とを連結することを特徴とする請求項１１又は１２に記載の画像読取装置。
【請求項１４】
前記媒体押さえ部は、前記連結部に接続する可動フレームと、前記可動フレームに固定され、且つ前記可動フレームによって補強された原稿押さえシートとを備えたことを特徴とする請求項1乃至１３の何れかに記載の画像読取装置。
【請求項１５】
請求項１乃至１４の何れかの画像読取装置を備えたことを特徴とする複合装置。
【発明の詳細な説明】
【技術分野】
【０００１】
本発明は、画像読取装置に関し、特に媒体載置部に載置した記録媒体を媒体載置部に密着させるための構造に関する。
【背景技術】
【０００２】
従来、この種の画像読取装置では、媒体載置部（フラットベッド用読み取りガラス）に載置した記録媒体を、例えば本体に回動自在に保持された自動原稿搬送装置の底面で押さえるものがあった（例えば、特許文献１参照）。
【先行技術文献】
【特許文献】
【０００３】
【特許文献１】特開２０１１−６６７０７号公報（第６頁、図１）
【発明の概要】
【発明が解決しようとする課題】
【０００４】
しかしながら、媒体載置部に厚みの大きい原稿が載置されることについて考慮することが必要となる場合がある。
【課題を解決するための手段】
【０００５】
本発明の画像読取装置は、記録媒体の画像を読み取る画像読み取りユニットと、前記画像読み取り部と対向する位置に配置され、前記記録媒体を載置する媒体載置部とを備えた画像読み取り部と、
前記画像読み取り部によって、前記媒体載置部を、塞ぐ位置と開放する位置との間で変位自在に支持された開閉部と、
前記開閉部の、前記媒体載置部に対向する側に着脱自在に配置された媒体押さえ部と、
前記媒体押さえ部と、前記開閉部又は前記画像読み取り部とを連結する連結部とを備え、
前記開閉部から外れた前記押さえ部が、前記開閉部又は前記画像読み取り部に連結された状態で移動自在に構成されたことを特徴とする。
【発明の効果】
【０００６】
本発明の画像読取装置によれば、開閉部が、媒体載置部を開放する位置にある状態で、媒体載置部に載置された記録媒体を、媒体押さえ部によって媒体載置部に密着させることが可能となるため、記録媒体が所定以上の厚みを有するものであっても操作性に優れた読み取り作業を実行できる。
【図面の簡単な説明】
【０００７】
【図１】本発明による画像読取装置を採用した実施の形態１の複合機の外観斜視図である。
【図２】複合機の画像読取装置の部分を、正面（図１の矢印Ａ方向）からみた要部構成を示す要部構成図である。
【図３】実施の形態１において、複合機の画像読取装置の部分を斜め上方からみた外観斜視図である。
【図４】実施の形態１において、画像読取装置を右側（Ｘ軸のマイナス向き）からみた要部構成を示す要部構成図である。
【図５】実施の形態１において、第１連結板と第２連結板の連結部を排出トレイの底部の側、例えば図４においては矢印Ｂの向きから見た部分斜視図である。
【図６】実施の形態１において、ＡＤＦユニットを閉じた状態の画像読取装置を右側（Ｘ軸のマイナス向き）からみた動作説明図である。
【図７】実施の形態１において、ブック状原稿を第１の原稿載置台上に載置した画像読取装置を右側（Ｘ軸のマイナス向き）からみた要部構成を示す要部構成図である。
【図８】実施の形態１において、原稿押さえシートによってブック状原稿を第１の原稿載置台に押圧した状態の画像読取装置を、右側（Ｘ軸のマイナス向き）からみた要部構成を示す要部構成図である。
【図９】実施の形態１において、連結部の各部の状態を示す動作説明図で、（ａ）は、可動フレームを底部から引き剥がす前の状態を示し、（ｂ）は、原稿押さえシートを、第１の原稿載置台上のブック状原稿に押し付けている時の状態を示す。
【図１０】実施の形態１において、変形例１の画像読取装置を斜め上方からみた外観斜視図である。
【図１１】本発明による実施の形態２の画像読取装置を斜め上方からみた外観斜視図である。
【図１２】本発明による実施の形態３の画像読取装置を斜め上方からみた外観斜視図である。
【発明を実施するための形態】
【０００８】
実施の形態１．
図１は、本発明による画像読取装置を採用した実施の形態１の複合機１の外観斜視図であり、図２は、複合機１の画像読取装置３の部分を、正面（図１の矢印Ａ方向）からみた要部構成を示す要部構成図であり、図３は、複合機１の画像読取装置３の部分を斜め上方からみた外観斜視図である。
【０００９】
図１に示すように複合装置としての複合機１は、下部に配置された画像形成装置２と、その上部に支持部材４を介して配置された画像読取装置３とを備える。
【００１０】
画像読取装置３は、画像読み取り部としてのフラットベッドユニット１０と、フラットベッドユニット１０によって回動自在に保持された開閉部としての自動原稿搬送装置（以後、ＡＤＦユニット称す）１１とを備え、図２は、ＡＤＦユニット１１が閉位置にあってフラットベッドユニット１０の上に載置した状態を示し、図３は、ＡＤＦユニット１１が開位置にあってフラットベッドユニット１０の上部が開放された状態を示している。
【００１１】
フラットベッドユニット１０は、ロアーフレーム４１及びアッパーフレーム４２を備え、ロアーフレーム４１には、内部において、所定の副走査方向（Ｘ軸方向）に延在するように保持されたガイドシャフト４６、ガイドシャフト４６に平行移動自在に保持された画像読み取りユニット４７が配置され、アッパーフレーム４２には、原稿すくい上げ部材４３が形成され、第１の原稿載置台４４及び第２の原稿載置台４５が固定配置されている。
【００１２】
図３に示すように、アッパーフレーム４２の、第１の原稿載置台４４及び第２の原稿載置台４５に対向する位置は長方形状の開口となっていて、アッパーフレーム４２の内側に固定された第１の原稿載置台４４及び第２の原稿載置台４５が開口部から上方に臨んでいる。媒体載置部としての第１の原稿載置台４４の載置スペースは、その副走査方向の幅Ｌ２及び主走査方向の奥行きＬ１が、開口部の形状によって決まり、開口部の主走査方向及び副走査方向の各一辺が、後述するように、載置されるシート状原稿８１（図４）の載置位置を確定する第２の位置決めガイド５２及び第１の位置決めガイド５１となっている。
【００１３】
図２に示すように、ＡＤＦユニット１１には、原稿トレイ１２、ピックアップローラ１４、フィードローラ１５、リタードローラ１６、第１の搬送ローラ対１７、第２の搬送ローラ対２０、排出ローラ対２３、第１センサ２６、第２センサ２７、第３センサ２８、コイルスプリング３０、原稿押さえ部材３１、排出トレイ３２、可動フレーム３３、原稿押さえシート３４、面ファスナ３５〜３８、及び連結部５７が配設されている。尚、可動フレーム３３及び原稿押さえシート３４が媒体押さえ部に相当する。
【００１４】
原稿トレイ１２は、原稿用紙１３を積載し、ピックアップローラ１４は、原稿トレイ１２に重ねて載置された原稿用紙１３の最上部の原稿用紙を、同図に点線で示す用紙搬送路２９に向かって送り出す。用紙搬送方向におけるピックアップローラ１４の下流側に、お互いに所定の圧力で接した状態で配置されたフィードローラ１５及びリタードローラ１６は、共働して、ピックアップローラ１４によって送り出された原稿用紙１３を、複数枚重なることなく一枚に捌いて用紙搬送路２９に沿って下流側に搬送する。
【００１５】
第１搬送ローラ対１７及び第２搬送ローラ対２０は、用紙搬送方向におけるフィードローラ１５の下流側に用紙搬送路２９に沿って配置され、フィードローラ１５及びリタードローラ１６によって送られる原稿用紙１３を順次下流側に搬送する。第１搬送ローラ対１７は、駆動ローラ１８とプレッシャローラ１９とが所定の圧力で接した状態で配置され、第２搬送ローラ対２０も、駆動ローラ２１とプレッシャローラ２２とが所定の圧力で接した状態で配置されている。尚、これらの駆動ローラ１８，２１は、図示しない駆動系により駆動力を受けて原稿用紙１３を用紙搬送方向の下流側に搬送する回転方向（図中の矢印方向）へ回転する。
【００１６】
光を透過する第２の原稿載置台４５及びコイルスプリング３０によって所定の付勢力で付勢された原稿押さえ部材３１は、用紙搬送方向における第２搬送ローラ対２０の下流側に用紙搬送路２９を介して対向して配置されている。画像読み取りユニット４７は、後述するように２つ読み取り動作モード、即ちＡＤＦ読み取り動作とフラットベッド読み取り動作に応じて移動位置を変えるが、例えば、後述するＡＤＦ読み取り動作時には、第２の原稿載置台４５を介して原稿押さえ部材３１とは反対側に位置する読み取り位置Ｐ１にあって、第２の原稿載置台４５と原稿押さえ部材３１との間を通過する原稿用紙１３の画像データを読み込む。
【００１７】
第２の原稿載置台４５と原稿押さえ部材３１との間を通過した原稿用紙１３は、原稿すくい上げ部材４３によってすくい上げられ、駆動ローラ２４と従動ローラ２５とが所定の圧力で接した状態で配置された排出ローラ対２３に導かれる。排出ローラ対２３は、順次データが読み込まれて送られてくる原稿用紙１３を、ＡＤＦユニット１１本体に固定配置された排出トレイ３２上に排出する。尚、駆動ローラ２４は、図示しない駆動系により駆動力を受けて、原稿用紙１３を排出トレイ３２に排出する回転方向（図中の矢印方向）へ回転する。
【００１８】
ピックアップローラ１４の近傍に配置された第１センサ２６は、原稿トレイ１２に原稿用紙１３が配置されているか否かを検出し、フィードローラ１５の下流側に配置された第２センサ２７及び読み取り位置Ｐ１の上流側に配置された第３センサ２８は、搬送されて通過する原稿用紙１３を検出し、それぞれの検出情報を図示しない制御部に送信する。
【００１９】
尚、図２中のＸ、Ｙ、Ｚの各軸は、ガイドシャフト４６が延在する副走査方向にＸ軸をとり、ピックアップローラ１４の回転軸方向にＹ軸をとり、これら両軸と直交する方向にＺ軸をとっている。また、後述する他の図においてＸ、Ｙ、Ｚの各軸が示される場合、これらの軸方向は、共通する方向を示すものとする。即ち、各図のＸＹＺ軸は、各図の描写部分が、図２に示す画像読取装置３を構成する際の配置方向を示している。またここでは、Ｚ軸が略鉛直方向となるように配置されるものとする。
【００２０】
排出トレイ３２の底部３２ａには、可動フレーム３３が四隅に配設された４つの面ファスナ３５〜３８によって固定され、この可動フレーム３３には、全面にわたって原稿押さえシート３４が接着剤によって固定されている。またこの可動フレーム３３は、例えば弾性部材で形成される原稿押さえシート３４の補強部材としの役割もはたす。
【００２１】
フラットベッド読み取り動作時には、図３に示すようにＡＤＦユニット１１を開位置に回動して、読み取り原稿である例えばシート状原稿８１（図４）を第１原稿載置台４４上に載置し、図２に示すようにＡＤＦユニット１１を閉位置に回動し、原稿押さえシート３４によりシート状原稿８１を押さえて光を透過させる第１原稿載置台４４上に密着させる。この状態で、画像読み取りユニット４７を、第１の原稿載置台４４の載置スペースに対応する位置、即ち図２に点線で示す始点位置Ｐ２から終点位置Ｐ３までの副走査方向に移動させ、この間に主走査方向及び副走査方向での原稿読み取りを実行する。
【００２２】
図３に示す操作パネル６１は、操作者が画像読取装置３又は画像形成装置２の動作内容を指示するための操作ボタンを有し、表示画面６２は、各装置の動作内容を表示する。ＡＤＦ読み取り動作開始ボタン６３は、画像読取装置３によるＡＤＦ読み取り動作を開始するためのボタンであり、このボタンが押圧されると図示しない制御・駆動手段によって、画像読み取りユニット４７が読み取り位置Ｐ１に位置決めされ、原稿トレイ１２上に載置された原稿用紙１３が順次用紙搬送路２９に送り込まれ、画像読み取りユニット４７によってデータ読み込みされた原稿用紙１３が排出トレイ３２上に排出される。
【００２３】
フラットベッド読み取り動作開始ボタン６４は、画像読取装置３によるフラットベッド読み取り動作を開始するためのボタンであり、このボタンが押圧されると図示しない制御・駆動手段によって、画像読み取りユニット４７を、第１の原稿載置台４４の載置スペースに対応する位置、即ち図２に点線で示す始点位置Ｐ２から終点位置Ｐ３までの副走査方向に移動させ、この間に主走査方向及び副走査方向での原稿読み取りを実行する。
【００２４】
更にＡＤＦユニット１１の構成について説明する。図４は、画像読取装置３を右側（Ｘ軸のマイナス向き）からみた要部構成を示す要部構成図である。尚、図１に示す複合機１を、正面とする矢印Ａ方向（Ｙ軸のプラス向き）からみて、複合機１の前後左右の方向を特定する場合がある。
【００２５】
図３、図４に示すように、ＡＤＦユニット１１は、フラットベッドユニット１０の後方上面の左右両端部から突き出るように配設された一対のヒンジユニット５３，５４によって、回動自在に保持されている。この回動中心６５の軸方向は、副走査方向（Ｘ軸方向）に延在するガイドシャフト４６と平行である。
【００２６】
原稿押さえシート３４を備える可動フレーム３３は、後述するように所定の寸法を有する長方形の平板状部材で、４つの面ファスナ３５〜３８によって排出トレイ３２の底部３２ａに対して着脱自在に装着されている。この可動フレーム３３に固定配置されたレバー３３ａは、操作者がこの可動フレーム３３を排出トレイ３２から引き剥がして離間する際に有用となるよう把持可能に形成されている。
【００２７】
排出トレイ３２の底部３２ａに配置されたガイド部材としての一対の位置決めガイド５８，５９は、装着される可動フレーム３３の、対角となる角をそれぞれガイドして、装着される可動フレーム３３を所定の装着位置に導き、位置決めする。このため、位置決めガイド５８には誘導傾斜面５８ａが、位置決めガイド５９には誘導傾斜面５９ａがそれぞれ形成されており、可動フレーム３３は、これらの誘導傾斜面５８ａ，５９ａに誘導されることにより、容易に所定の装着位置に位置決めされる。
【００２８】
原稿押さえシート３４は、後述する様に、ＡＤＦユニット１１が閉じられた際に、第１原稿載置台４４上に位置決めされたシート状原稿８１を第１の原稿載置台４４に押圧するものである。このため、原稿押さえシート３４は、その幅ｄ２及び奥行きｄ１が、第１の原稿載置台４４の載置スペースの幅Ｌ２及び奥行きＬ１に対して、
Ｌ１＞ｄ１、Ｌ２＞ｄ２
に設定され、第１の原稿載置台４４の載置スペースの領域内に収まるように、位置決めガイド５８，５９によって位置決めされている。これにより原稿押さえシート３４は、アッパーフレーム４２に形成された第１の位置決めガイド５１（図３）の厚みよりも薄い、所定厚以下のシート状原稿８１が位置決めされた場合であっても、確実に第１の原稿載置台４４に押圧することが可能となる。
【００２９】
またこの可動フレーム３３は、連結部５７によってＡＤＦユニット１１に連結されている。この連結部５７は、ここでは平板状のアーム部としての第１連結板７１及び第２連結板７２によって構成されている。第１連結板７１は、排出トレイ３２の底部３２ａの、回動中心６５に近い側においてこの回動中心６５の軸方向と平行に配置された一対の支点リブ部５５，５６によって、短手方向の一方の端部が、回動軸５５ａ，５６ａ中心に回動自在に保持されている。
【００３０】
第１連結板７１は、その短手方向（回動軸５５ａ，５６ａと直交する方向）の他方の端部において、回動中心６５の軸方向と平行な第１回動軸７１ａ中心に第２連結板７２の短手方向の一方の端部を回動自在に保持し、第２連結板７２は、その短手方向（第１回動軸７１ａと直交する方向）の他方の端部において、回動中心６５と平行な第２回動軸７２ａ中心に、可動フレーム３３の、回動中心６５に近い側の端部を回動自在に保持している。
【００３１】
ここで、第１連結板７１と第２連結板７２の連結部の構成について更に説明する。図５は、第１連結板７１と第２連結板７２の連結部を排出トレイ３２の底部３２ａの側、例えば図４においては矢印Ｂの向きから見た部分斜視図である。
【００３２】
図５に示すように、第１連結板７１の短手方向の他方の端部には、一対の凸部７１ｂが所定の間隔をとって形成され、各凸部７１ｂには、回動中心６５と平行な同軸上に第１回動軸７１ａがそれぞれ配備されている。一方、第２連結板７２の短手方向の一方の端部には、第１連結板７１の一対の凸部７１ｂに対向する位置に、それぞれ対向する凸部７１ｂを受け入れる凹部７２ｂが形成され、各凹部７２ｂには、それぞれ各第１回動軸７１ａを回転自在に受け入れる軸受部７２ｄが形成されている。
【００３３】
また、第２連結板７２の一対の凹部７２ｂの中央部には、厚み方向の上半部に形成された規制凸部７２ｃが形成され、第１連結板７１の一対の凸部７１ｂの中央部には、厚み方向の下半部に形成されて規制凸部７２ｃと当接可能な規制面７１ｃ（斜線部）が形成されている。そして第１連結板７１と第２連結板７２とが図５に示すように面一のときに、規制凸部７２ｃと規制面７１ｃとが当接するように構成されている。
【００３４】
従って、第１連結板７１と第２連結板７２とは、規制凸部７２ｃと規制面７１ｃとが当接する図４、図５に示す面一の状態からは、規制凸部７２ｃと規制面７１ｃとが離間する方向への回動のみが可能となる。
【００３５】
以上の構成に基づいて、ＡＤＦ読み取り動作時の各部動作、及びフラットベッド読み取り動作時の各部の動作と作業手順について更に説明する。
【００３６】
先ずフラットベッド読み取り動作時の、記録媒体としてのシート状原稿８１（図４）を読み取る場合の各部動作及び作業手順について説明する。この時操作者は、図４に示すようにＡＤＦユニット１１を開位置に回動して図３に示すように第１原稿載置台４４の上面を開放し、シート状原稿８１を第１原稿載置台４４上に載置する。その際、シート状原稿８１を、副走査方向（Ｘ軸方向）に延在する第１の位置決めガイド５１に押し当てて主走査方向（Ｙ軸方向）の位置を確定し、主走査方向に延在する第２の位置決めガイド５２に押し当てて副走査方向の位置を確定する。
【００３７】
その後、開放した第１原稿載置台４４の上面を塞ぐように、開いていたＡＤＦユニット１１を図６に示すように閉じ、原稿押さえシート３４によってシート状原稿８１を第１原稿載置台４４に押圧した状態とし、シート状原稿８１の原稿セット動作を完了する。この状態で、フラットベッド読み取り動作開始ボタン６４（図３）を押圧することにより、画像読取装置３によるフラットベッド読み取り動作が開始される。
【００３８】
次にフラットベッド読み取り動作時の、記録媒体としてのブック状原稿８２（図７）を読み取る場合の各部動作及び作業手順について説明する。
【００３９】
図７は、読み取り原稿であるブック状原稿８２を第１の原稿載置台４４上に載置した画像読取装置３を右側（Ｘ軸のマイナス向き）からみた要部構成を示す要部構成図であり、図８は、原稿押さえシート３４によってブック状原稿８２を第１の原稿載置台４４に押圧した状態の画像読取装置３を同方向からみた要部構成を示す要部構成図である。
【００４０】
この時操作者は、図７に示すようにＡＤＦユニット１１を開位置に回動し、ブック状原稿８２の読み取りたいページを開いて、主走査方向（Ｙ軸方向）において読み取りたい領域の端を第１の位置決めガイド５１に合わせ、副走査方向（Ｘ軸方向）の端部を第２の位置決めガイド５２（図３）に当接させて、両方向での位置を確定する。
【００４１】
その後操作者は、レバー３３ａを排出トレイ３２の底部３２ａと略垂直な矢印Ｃ方向に引いて、４つの面ファスナ３５〜３８をそれぞれ離間させて可動フレーム３３を底部３２ａから引き剥がす。そして連結部５７によって支持される可動フレーム３３に固定された原稿押さえシート３４を、第１の原稿載置台４４上のブック状原稿８２に押し付け、その読み取りページを第１の原稿載置台４４に密着させる（図８）。この状態で、フラットベッド読み取り動作開始ボタン６４（図３）を押圧することにより、画像読取装置３によるフラットベッド読み取り動作が開始される。この時操作者は、図８に示すように、ＡＤＦユニット１１と可動フレーム３３の間に生じる操作領域Ｃにおいて、必要に応じて可動フレーム３３を鉛直下方に押し下げて、押し付ける力を補足する。
【００４２】
図９は、この時の連結部５７の各部の状態を示す動作説明図で、（ａ）は、可動フレーム３３を底部３２ａから引き剥がす前の状態を示し、（ｂ）は、原稿押さえシート３４を、第１の原稿載置台４４上のブック状原稿８２に押し付けている時の状態を示す。
【００４３】
図９（ａ）に示すように、可動フレーム３３を底部３２ａから引き剥がす前、即ち図７の状態では、連結部５７の第１連結板７１、第２連結板、及び可動フレーム３３は、直線状に連結し、この状態から図９図（ｂ）に示すように、原稿押さえシート３４が、第１の原稿載置台４４上のブック状原稿８２に押し付けられるまでの過程で、第１連結板７１が支点リブ部５５，５６に対して反時計方向に僅かに回動し、第２の連結板７２が第１の連結板７１に対して反時計方向に大きく回動し、可動フレーム３３が第２の連結板７２に対して時計方向に回動する。
【００４４】
このとき、第１連結板７１と第２連結板７２とは、前記した規制凸部７２ｃ及び規制面７１ｃの作用により、開角θが１８０度より大きく開かない構成になっているため、図９（ａ）に示すように、第１の連結板７１と第２の連結板７２とが直線状に連結する状態から、逆方向へ回動して誤動作するのを防止している。
【００４５】
次に、可動フレーム３３を再度排出トレイ３２の底部３２ａに収める際には、可動フレーム３３を持ち上げ、排出トレイ３２の底部３２ａに配置された一対の位置決めガイド５８，５９（図３）を目当てに対向する角を接近させ、更に各ガイド５８，５９の誘導傾斜面５８ａ，５９ａが導く所定の装着位置に位置決めし、４つの面ファスナ３５〜３８によって固定する。
【００４６】
次に、ＡＤＦ読み取り動作時の各部動作及び作業手順について説明する。ＡＤＦ読み取り動作時には、先ず原稿トレイ１２（図２）の所定位置に原稿用紙１３を載置し、ＡＤＦ読み取り動作開始ボタン６３（図３）を押す。これによって図示しない制御・駆動手段によって、画像読み取りユニット４７が読み取り位置Ｐ１に位置決めされ、ピックアップローラ１４が回転して原稿用紙１３を用紙搬送路２９に送り込む。
【００４７】
送り込まれた原稿用紙１３は、フィードローラ１５及びリタードローラ１６によって複数枚重なることなく一枚に捌かれ、第１の搬送ローラ対１７及び第２の搬送ローラ対２０によって用紙搬送路２９を下流側に搬送され、所定の搬送力を保ったまま第２の原稿載置台４５上を通過する。このとき原稿用紙１３は、コイルスプリング３０によって付勢された原稿押さえ部材３１によって第２の原稿載置台４５から浮き上がることなく搬送され、画像読み取りユニット４７によって画像が読み取られる。
【００４８】
画像読み取りユニット４７によって画像が読み取られた原稿用紙１３は、原稿すくい上げ部材４３によって排出ローラ対２３に導かれ、この排出ローラ対２３によって排出トレイ３２上に排出される。
【００４９】
以上のようにして、画像読み取りユニット４７によって読み込まれた画像データは、例えば図示しない電送部材によって画像形成装置２（図２）へ送られ、所定の記録用紙に印刷される。
【００５０】
本実施の形態の変形例１について、図１０の外観斜視図を参照しながら説明する。
【００５１】
この変形例１では、本実施の形態の図３に示す画像読取装置３の４つの面ファスナ３５〜３８に代えて、例えば可動フレーム３３に固定された磁石９１ａと、例えば排出トレイ３２の底部３２ａに、磁石９１ａに対向して固定配置された金属板９１ｂとからなる吸着セット９１を配置している。その他の構成は、本実施の形態の図３に示す画像読取装置３と全く同じである。また、面ファスナが、磁石を利用した吸着セットにかわったのみであるため、同等の作用効果が得られる。
【００５２】
尚、本実施の形態では、連結部５７を第１連結板７１と第２連結板７２の２つの連結板で構成したが、これに限定されるものではなく、もっと多くの連結板で構成しても良い。また本実施の形態では、支点リブ部５５，５６、第１連結板７１、第２連結板７２、及び可動フレーム３３が、回動軸５５ａ，５６ａ、第１回動軸７１ａ、及び第２回動軸７２ａを中心としてそれぞれ回動可能に構成したが、これに限定されるものではなく、各部を屈曲可能に構成してもよいなど種々の態様を取り得るものである。
【００５３】
以上のように、本実施の形態の画像読取装置３によれば、ＡＤＦユニット１１を開位置に維持したまま、可動フレーム３３及び原稿押さえシート３４を、第１の原稿載置台４４に載置した読み取り原稿上にセットして押さえることができるため、読み取り原稿が例えばブック状の厚みのある原稿であっても操作性に優れた読み取り作業を実行できる。また、ＡＤＦユニット１１全体を、読み取り原稿の高さに合わせて調整する場合に必要となる複雑なヒンジ機構が不要なため、装置の低コスト化にも寄与できる。
【００５４】
実施の形態２．
図１１は、本発明による実施の形態２の画像読取装置を斜め上方からみた外観斜視図である。
【００５５】
この画像読取装置２０３が、図３に示す前記した実施の形態１の画像読取装置３と主に異なる点は、連結部２５７の構成である。従って、この連結部２５７を採用する画像読取装置２０３が、前記した実施の形態１の画像読取装置３と共通する部分には同符号を付して、或いは図面を省いて説明を省略し、異なる点を重点的に説明する。
【００５６】
本実施の形態では、図１１に示すように、排出トレイ３２（図２）の底部３２ａの所定位置に装着されている可動フレーム２３３の、ＡＤＦユニット１１の回動中心６５（図４）に近い側の端部に、弾性を有して帯状に形成された連結フィルム２１１の一端が取り付けられている。この連結フィルム２１１は、アッパーフレーム２４２に形成された長孔２１３を介してフラットベッドユニット１０の内部に入り、この内部において、その他端が、長孔２１３を通り抜けできない円柱状のストッパ２１２に取り付けられている。尚、長孔２１３は、第１の原稿載置台４４よりＡＤＦユニット１１の回動中心６５（図４）に近い側に形成されている。
【００５７】
従って、ここでの連結部２５７は、連結フィルム２１１、ストッパ２１２、及び長孔２１３によって構成され、排出トレイ３２の底部３２ａから引き剥がされた可動フレーム２３３が、フラットベッドユニット１０の長孔２１３から必要以上に離れないように拘束する。
【００５８】
以上の構成において、例えば図７で説明したように、ＡＤＦユニット１１を開位置に回動し、読み取りたいページを開いて第１の原稿載置台４４上に位置決めされたブック状原稿８２を、可動フレーム２３３及び原稿押さえシート３４で押さえる場合について説明する。
【００５９】
この時操作者は、レバー３３ａを排出トレイ３２の底部３２ａと略垂直な方向に引いて、４つの面ファスナ３５〜３８をそれぞれ離間させて可動フレーム２３３を底部３２ａから引き剥がす。そして自在な連結部２５７によって移動量が規制される可動フレーム２３３に固定された原稿押さえシート３４を、第１の原稿載置台４４上のブック状原稿８２に押し付け、その読み取りページを第１の原稿載置台４４に密着させる。この状態で、フラットベッド読み取り動作開始ボタン６４を押圧することにより、画像読取装置２０３によるフラットベッド読み取り動作が開始される。この時操作者は、必要に応じて可動フレーム２３３を鉛直下方に押し下げて、押し付ける力を補足する。
【００６０】
尚、本実施の形態の画像読取装置２０３では、可動フレーム２３３を連結部２５７によってフラットベッドユニット１０に連結したが、ＡＤＦユニット１１に連結するように構成してもよい。
【００６１】
以上のように、本実施の形態の画像読取装置２０３によれば、ＡＤＦユニット１１を開位置に維持したまま、可動フレーム２３３及び原稿押さえシート３４を、第１の原稿載置台４４に載置した読み取り原稿上にセットして押さえることができるため、読み取り原稿が例えばブック状の厚みのある原稿であっても操作性に優れた読み取り作業を実行できる。また、ＡＤＦユニット１１全体を、読み取り原稿の高さに合わせて調整する場合に必要となる複雑なヒンジ機構が不要なため、装置の低コスト化にも寄与できる。また連結部２５７は、可動フレーム２３３及び第１の原稿載置台４４よりも回動中心６５（図４）に近くに配置されるため、可動フレーム２３３及び原稿押さえシート３４によって読み取り原稿を押さえる際の邪魔にならない。
【００６２】
実施の形態３．  
図１２は、本発明による実施の形態３の画像読取装置を斜め上方からみた外観斜視図である。
【００６３】
この画像読取装置３０３が、図３に示す前記した実施の形態１の画像読取装置３と主に異なる点は、連結部５７（図３）に代えて連結ワイヤー３０１を配備した点である。従って、この連結ワイヤー３０１を採用する画像読取装置３０３が、前記した実施の形態１の画像読取装置３と共通する部分には同符号を付して、或いは図面を省いて説明を省略し、異なる点を重点的に説明する。
【００６４】
本実施の形態では、図１２に示すように、排出トレイ３２（図２）の底部３２ａの所定位置に装着されている可動フレーム３３３の、ＡＤＦユニット１１の回動中心６５（図４）に近い側の端部に連結部としての連結ワイヤー３０１の一端を取付け、連結ワイヤー３０１の他端を、更に回動中心６５に近い排出トレイ３２の底部３２ａに取り付けている。従って、連結ワイヤー３０１は、排出トレイ３２の底部３２ａから引き剥がされた可動フレーム３３３が、ＡＤＦユニット１１から必要以上に離れないように拘束する。
【００６５】
以上の構成において、例えば図７で説明したように、ＡＤＦユニット１１を開位置に回動し、読み取りたいページを開いて第１の原稿載置台４４上に位置決めされたブック状原稿８２を可動フレーム３３３及び原稿押さえシート３４で押さえる場合について説明する。
【００６６】
この時操作者は、レバー３３ａを排出トレイ３２の底部３２ａと略垂直な方向に引いて、４つの面ファスナ３５〜３８をそれぞれ離間させて可動フレーム３３３を底部３２ａから引き剥がす。そして自在な連結ワイヤー３０１によって移動量が規制される可動フレーム３３３に固定された原稿押さえシート３４を、第１の原稿載置台４４上のブック状原稿８２に押し付け、その読み取りページを第１の原稿載置台４４に密着させる。この状態で、フラットベッド読み取り動作開始ボタン６４を押圧することにより、画像読取装置３０３によるフラットベッド読み取り動作が開始される。この時操作者は、必要に応じて可動フレーム３３３を鉛直下方に押し下げて、押し付ける力を補足する。
【００６７】
尚、本実施の形態の画像読取装置３０３では、可動フレーム２３３を連結ワイヤー３０１によってＡＤＦユニット１１に連結したが、フラットベッドユニット１０に連結するように構成してもよい。
【００６８】
以上のように、本実施の形態の画像読取装置３０３によれば、ＡＤＦユニット１１を開位置に維持したまま、可動フレーム３３３及び原稿押さえシート３４を、第１の原稿載置台４４に載置した読み取り原稿上にセットして押さえることができるため、読み取り原稿が例えばブック状の厚みのある原稿であっても操作性に優れた読み取り作業を実行できる。また、ＡＤＦユニット１１全体を、読み取り原稿の高さに合わせて調整する場合に必要となる複雑なヒンジ機構が不要なため、低コスト化にも寄与できる。また連結ワイヤー３０１は、可動フレーム３３３及び第１の原稿載置台４４よりも回動中心６５（図４）に近くに配置されるため、可動フレーム３３３及び原稿押さえシート３４によって読み取り原稿を押さえる際の邪魔にならない。
【産業上の利用可能性】
【００６９】
前記した実施の形態では、本発明を画像形成装置と画像読取装置とからなる複合装置に適用した例を説明したが、これに限定されるものではなく、スキャナやファクシミリ等の画像読取装置やＭＦＰなどにも適用可能である。
【符号の説明】
【００７０】
１  複合機、  ２  画像形成装置、  ３  画像読取装置、  ４  支持部材、  １０  フラットベッドユニット、  １１  ＡＤＦユニット、  １２  原稿トレイ、  １３  原稿用紙、  １４  ピックアップローラ、  １５  フィードローラ、  １６  リタードローラ、  １７  第１の搬送ローラ対、  １８  駆動ローラ、  １９  プレッシャローラ、  ２０  第２の搬送ローラ対、  ２１  駆動ローラ、  ２２  プレッシャローラ、  ２３  排出ローラ対、  ２４  駆動ローラ、  ２５  従動ローラ、  ２６  第１センサ、  ２７  第２センサ、  ２８  第３センサ、  ２９  用紙搬送路、  ３０  コイルスプリング、  ３１  原稿押さえ部材、  ３２  排出トレイ、  ３２ａ  底部、  ３３  可動フレーム、  ３３ａ  レバー、  ３４  原稿押さえシート、  ３５  面ファスナ、  ３６  面ファスナ、  ３７  面ファスナ、  ３８  面ファスナ、  ４１  ロアーフレーム、  ４２  アッパーフレーム、  ４３  原稿すくい上げ部材、  ４４  第１の原稿載置台、  ４５  第２の原稿載置台、  ４６  ガイドシャフト、  ４７  画像読み取りユニット、  ５１  第１の位置決めガイド、  ５２  第２の位置決めガイド、  ５３  ヒンジユニット、  ５４  ヒンジユニット、  ５５  支点リブ部、  ５５ａ  回動軸、  ５６  支点リブ部、  ５６ａ  回動軸、  ５７  連結部、  ５８  位置決めガイド、  ５８ａ  誘導傾斜面、  ５９  位置決めガイド、  ５９ａ  誘導傾斜面、  ６１  操作パネル、  ６２  表示画面、  ６３  ＡＤＦ読み取り動作開始ボタン、  ６４  フラットベッド読み取り動作開始ボタン、  ６５  回動中心、  ７１  第１連結板、  ７１ａ  第１回動軸、  ７１ｂ  凸部、  ７１ｃ  規制面、  ７２  第２連結板、  ７２ａ  第２回動軸、  ７２ｂ  凹部、  ７２ｃ  規制凸部、  ７２ｄ  軸受部、  ８１  シート状原稿、  ８２  ブック状原稿、  ９１  吸着セット、  ９１ａ  磁石、  ９１ｂ  金属板、  ２０３  画像読取装置、  ２１１  連結フィルム、  ２１２  ストッパ、  ２１３  長孔、  ２３３  可動フレーム、  ２４２  アッパーフレーム、  ２５７  連結部、  ３０１  連結ワイヤー、  ３０３  画像読取装置、  ３３３  可動フレーム。
【図１】
2016048887.tif 000003
【図２】
2016048887.tif 000004
【図３】
2016048887.tif 000005
【図４】
2016048887.tif 000006
【図５】
2016048887.tif 000007
【図６】
2016048887.tif 000008
【図７】
2016048887.tif 000009
【図８】
2016048887.tif 000010
【図９】
2016048887.tif 000011
【図１０】
2016048887.tif 000012
【図１１】
2016048887.tif 000013
【図１２】
2016048887.tif 000014